(57)【要約】  この考案は、ビデオゲーム機やテレビ・ビデオ等の電気機器を無制限に使用しないように、１日に使用する使用時間を設定することができる装置およびこの装置を装着するラックに関する。【課題】【解決手段】  電気製品を載置するラック内にタイマー装置を収納したタイマー装置付きラックであって、タイマー装置が使用時間または使用時間帯を設定してメモリに記憶させる設定部と、前記設定部で設定された時間を基に通電回路のスイッチを制御するコントローラと、前記通電回路に連動可能に接続された電源タップとからなるボックス状の装置本体と、該装置本体の前面角部上に突設されて前記コントローラの制御で通電終了を知らせる表示を行う警報表示部とからなっており、ラックの天板または棚板には前記警報表示部を嵌め込む切欠部が設けられており、外部から警報表示部を視認しうることを特徴とする。【選択図】図１
0003106776.tif 000002
【実用新案登録請求の範囲】
【請求項１】
電気製品を載置するラック内にタイマー装置を収納したタイマー装置付きラックであって、
タイマー装置が、電気製品を通電する時間または時間帯を設定してメモリに記憶させる設定部と、前記設定部で設定された時間を基に通電回路のスイッチを制御するコントローラと有し、前記通電回路に連動可能に接続されて前記電気装置のコンセントが接続される電源タップを壁面に設けたボックス状の装置本体と、該装置本体に接続されており前記コントローラの制御で通電の終了を知らせる表示を行う警報表示部とからなっており、
ラックが、施錠装置を有する扉部によって開閉されると共に前記タイマー装置を収納する収納部と、前記警報表示部を嵌合する切欠部が前方で開口するように凹設されたラックの天板または棚板とを有しており、
警報表示部の前面および上面が外から視認しうるように前記切欠部に警報表示部が嵌着されていることを特徴とするタイマー装置付きラック。
【請求項２】
タイマー装置の警報表示部が、装置本体の前面角部上に突設されており、
ラックが、収納部の上面を塞ぐ上壁板の前面角部に切欠部を形成してなり、
収納部の上壁板の裏面または側壁板の内面に沿ってタイマー装置を固定すると共に、警報表示部を前記切欠部に嵌合してなることを特徴とする請求項１に記載のタイマー装置付きラック。
【請求項３】
タイマー装置の警報表示部が、装置本体と別体となってケーブルを介して接続されていることを特徴とする請求項１に記載のタイマー装置付きラック。
【請求項４】
電気製品が、ビデオゲーム機、オーディオ装置、テレビやビデオ装置、またはパーソナルコンピュータからなっていることを特徴とする請求項１から３のいずれかに記載のタイマー装置付きラック。
【考案の詳細な説明】
【技術分野】
【０００１】
ビデオゲーム機やテレビ・ビデオ等の電気機器を無制限に使用しないように、１日に使用する使用時間を設定することができるラックに収納するタイマー装置、およびこれに用いるラック、前記タイマー装置付きラックに関する。
【背景技術】
【０００２】
従来、例えば、特開平５−３１４８７７号の電気機器の時間管理装置として、外部から電源を供給する入力側電源部と、電気機器の電源側に接続して前記入力側電源部からの電源を供給する出力側電源部と、該出力側電源部への電源の供給と遮断との制御をする電源制御部と、前記電気機器に電源供給を指示する開始スイッチと一時的に前記電気機器への電源供給を停止する一時停止スイッチと予め１日で使用できる合計使用時間を設定する合計時間設定スイッチとを備えた操作部と、該操作部からの信号に基づいて前記合計使用時間を限度として前記電気機器で使用した時間量を算出する残り時間計数部と、該残り時間計数部からの残り時間情報に基づいて適宜残り時間を表示する残り時間表示部と、１日の一定時刻にリセットパルスを発生する機能を有するタイマー部とから構成され、前記出力側電源部と前記合計時間設定スイッチとは少なくとも施錠できる場所に配置した構成が知られている。
しかし、上記構成では、１日の合計使用時間を設定することはできるが、使用時間帯を限定することができず、例えば、子供の夜更かしを禁止することはできなかった。
また、出力側電源部と前記合計時間設定スイッチとが少なくとも施錠できる場所に配置される構成となっているが、全体を施錠できる場所に配置した場合には、終了時間が分からず突然に給電が停止することになり、ゲーム機などではデータの保存ができない。
また、出力側電源部と前記合計時間設定スイッチとを施錠できる場所に配置し、その余の構成は別体とすると構造が複雑化すると共に、製品としての点数が増えて取扱いが繁雑となるという問題点がある。
【０００３】
【特許文献１】特開平５−３１４８７７号
【考案の開示】
【考案が解決しようとする課題】
【０００４】
この考案は、上記事情に鑑みて創案されたものであって、その主たる課題は、ラックに施錠可能な収納部を設けて、その中に通電可能な時間帯を指定することができるタイマー装置を取り付けると共に、タイマー装置に表示部を突設しておき、該表示部は収納部の外に表れて、通電終了時間の予報を行うようにしたタイマー装置付きラックを提供することにある。
【課題を解決するための手段】
【０００５】
この考案は、上記課題を達成するために、請求項１の考案では、
電気製品を載置するラック内にタイマー装置を収納したタイマー装置付きラックであって、
タイマー装置が、電気製品を通電する時間または時間帯を設定してメモリに記憶させる設定部と、前記設定部で設定された時間を基に通電回路のスイッチを制御するコントローラと有し、前記通電回路に連動可能に接続されて前記電気装置のコンセントが接続される電源タップを壁面に設けたボックス状の装置本体と、該装置本体に接続されており前記コントローラの制御で通電の終了を知らせる表示を行う警報表示部とからなっており、
ラックが、施錠装置を有する扉部によって開閉されると共に前記タイマー装置を収納する収納部と、前記警報表示部を嵌合する切欠部が前方で開口するように凹設されたラックの天板または棚板とを有しており、
警報表示部の前面および上面が外から視認しうるように前記切欠部に警報表示部が嵌着されていること」を特徴とする。
【０００６】
また、請求項２の考案では、
前記タイマー装置の警報表示部が、装置本体の前面角部上に突設されており、
ラックが、収納部の上面を塞ぐ上壁板の前面角部に切欠部を形成してなり、
収納部の上壁板の裏面または側壁板の内面に沿ってタイマー装置を固定すると共に、警報表示部を前記切欠部に嵌合してなることを特徴とする。
【０００７】
請求項３の考案では、
前記タイマー装置の警報表示部が、装置本体と別体となってケーブルを介して接続されていることを特徴とする。
更に、請求項４の考案では、
前記電気製品が、ビデオゲーム機、オーディオ装置、テレビやビデオ装置、またはパーソナルコンピュータからなっていることを特徴とする。
【考案の効果】
【０００８】
タイマー装置は、警報表示部を有しているので、通電終了時刻を事前に表示して、使用者に通電の終了を予告して、使用者がこれに伴う必要な処理を行う猶予を確保することができる。
また、タイマー装置では、通電する時間帯を管理して、電気機器の使用を可能にすることができる。
また、上記タイマー装置を収納するラックでは、収納部の天板に切欠部を設けて警報表示部を露出させるので、使用者は、警報表示部を見ることにより、通電の終了時間を予め段階的に知ることができる。
【考案を実施するための最良の形態】
【０００９】
以下にこの考案のタイマー装置付きラックの好適実施例について図面を参照しながら説明する。
【実施例１】
【００１０】
タイマー装置付きラック２０は、電気製品を載置するラック１０内にタイマー装置１を収納した構成からなっている。
タイマー装置１は、図１から図４に示すように、現在時刻と、通電の開始時刻および終了時刻とを設定してメモリＭに記憶させる設定部２と、設定された時刻を表示するＬＥＤ、ＬＣＤなどの外部表示部３と、前記設定部２で設定された時刻を基に、通電回路Ｃのスイッチを制御するコントローラ４とを有し、前記通電回路Ｃに連動可能に接続された電源タップ７を壁面に設けたボックス状の筐体からなる装置本体１Ａと、該装置本体１Ａの前面角部上に突設されて前記コントローラ４の制御で通電開始および終了を表示する警報表示部５とからなっている。
なお符号６は、電源となる電灯線コンセント（図示省略）に接続するための電源コード、８はラック１０に固定するためのブラケットである。
【００１１】
設定部２は、装置本体１Ａの正面パネルに形成されており、上段に「時刻表示」用の操作ボタンとして、「現在」、「入」、「切」の３つの操作ボタン２１〜２３が配置されている、
また、下段には「時刻合せ」用の操作ボタンとして、「セット」、「時」、「分」の３つの操作ボタン２４〜２６が配置されている（図３参照）。
【００１２】
ここで、「現在」の操作ボタン２１は、このボタンを投入することで、現在の時刻を外部表示部３に表示させる。
「入」の操作ボタン２２は、このボタンを投入することで、通電開始の時刻を外部表示部３に表示させる。
【００１３】
「切」の操作ボタン２３は、このボタンを投入することで、通電終了の時刻を外部表示部３に表示させる。
「セット」の操作ボタン２４では、このボタンで１回目を押すと表示時刻が点滅し変更可能准状態になる。
２回目を押すと「表示時刻」が、外部表示部３に点灯しセット完了になる。
これは、「現在」「入」「切」のどの時刻が表示されていても同じである。
【００１４】
「時」の操作ボタン２５では、表示部に表示される「時」を変更する。１回押す毎に１時間づつ変わる。
「分」の操作ボタン２６では、表示部に表示される「分」を変更する。
現在時刻設定の場合、１回押す毎に１分単位で変わり、入・切時刻設定の場合、１回押す毎に１０分単位で変わる。
【００１５】
外部表示部３の時刻表示は、図示例の場合、ＯＯ時ＯＯ分の４桁に設定されている。
そして、コントローラ４のタイマー（時計機能）は、２４時間設定とし、次に設定変更をするまでは、毎日設定した時間がメモリＭに記憶されて繰り返すようになっている。
【００１６】
また、コントローラ４では、入・切時刻設定の時間差が、０分から１０分の場合は、通電していない状態にする。
従って、入・切時刻設定の時間差が、２０分以上に設定された場合に通電と判定する。
【００１７】
警報表示部５は、透光性を有する筒体の中に、電球またはＬＥＤなどの赤のランプと緑のランプを内蔵した構造からなっており、コントローラ４によって制御される。
即ち、本実施例では、通電開始の時間になると、緑のランプを点灯させる。
また、通電の終了時間の１５分前になると、緑のランプを点滅させる。
更に、１０分前になると、緑のランプを消灯し、赤のランプを点灯させる。
【００１８】
そして、通電終了の３分前になると、赤のランプを点滅させ、終了時間になると赤のランプも消灯させる。
これと同時に、コントローラ４は、通電回路Ｃを開放し（スイッチを開き）、通電を終了させる。
【００１９】
また、このタイマー装置１の裏面には、図２に示すように、電気装置のコンセントが接続される電源タップ７が１または複数（図示例では５つ）設けられている。
この電源タップ７は、前記コントローラ４による通電制御と全て連動するもの、あるいは、一部に非連動（電源コードが接続されている場合は常時通電）のものと組合せてもよい。
なお、本実施例では、停電後には再度電源を入れてもスイッチを閉成せず、再設定するまでは、通電してない状態にしてもよい。電源コードを抜いた状態の場合も同様である。
【００２０】
このようなタイマー装置１は、図５以降に示すラック１０に収納されてタイマー装置付きラック２０を構成し、上記ラック１０上にセットする電気製品と共に使用に供する。
ここで、電気製品の一例を示すとビデオゲーム機、オーディオ装置、テレビやビデオ装置、パーソナルコンピュータなどであるが、この考案では、その他の電気機器にも広く適用することができる。
このラック１０は、１または複数の棚１０ａを有しており、少なくとも１個所に施錠可能な扉部１５を有している。
図５に示すラック１０では、下段で左右に仕切られた収納部の一方、図示例では左側の収納部１１に、下端が蝶着された扉部１５が設けられている。
該扉部１５には施錠装置１６が取り付けられており、扉部１５を閉めた状態で扉部１５をロックすることができる。
施錠装置１６はシリンダ錠を例示したが、暗証番号の入力で解錠する施錠装置、その他公知の施錠装置を用いることができる。なお、１７は扉部１５に設けた把手である。
【００２１】
次ぎに、このラック１０の収納部１１には、その上壁面１２の裏面に前記タイマー装置１をブラケット８を介して固定する。
この際に、タイマー装置１を固定する上壁面１２には、その前端コーナー部に図８で明瞭なように切欠部１３が形成されており、扉部１５を閉じた状態でも前記タイマー装置１の警報表示部５の上部を露出させることができるようになっている。
【００２２】
これによって、タイマー装置１は、施錠され密閉された収納部１１内に固定され装置本体１Ａは見えないが、警報表示部５は上壁面１２のコーナー前端の切欠部１３から露出しているので、使用者は上記警報表示部５でのランプの点灯や点滅により、通電の開始や終了の状況を予め知ることができる。
【００２３】
また、タイマー装置１が固定される上壁面１２には、奥行き方向にコード類を通す開口部１４が穿設されて前記収納部１１に連通しており、前記電源タップ７に、通電管理を行うビデオゲーム機やテレビなどの電気機器の電源コードを接続することができるようになっている。
なお、図中３１はラック天板となる上段棚板、３２は天板１２となる下段の棚板の下方を更に上下に仕切る補助棚板である。この補助棚板３２に替えて、上下二段の抽出を配置してもよい。
その他、この考案において収納部１１を除くラック自体の構造は図示例に限定されるものではない。
【００２４】
図６に示すタイマー装置付きラック２０のラック１０は、上下３段に棚板１０ａを設け、最下段の棚板の下の収納部をタイマー装置１収納用の収納部１０ａとした構成からなっている。
この場合も、最下段の棚板となる上壁面１２の底面にタイマー装置１を固定し、警報表示部５を前記上壁面１２の切欠部１３に嵌合し、上部を突出させている。
また、扉部１５には施錠装置１６が取り付けられている。その他の構成は前記実施例と同様であるので、その説明を省略する。
【００２５】
図７に示すタイマー装置付きラック２０のラック１０は、１つの収納部１１からなっており、この収納部１１の上壁面１２となる棚板の裏面にタイマー装置１を固定し、前記上壁面１２の前端コーナ部に形成された切欠部１３に警報表示部５を嵌合し上端を突出させている。
また、この場合も扉部１５には施錠装置１６が取り付けられている。その他の構成は前記実施例と同様であるので、その説明を省略する。
【００２６】
このようにラック１０の全体構造は特に限定されないが、少なくとも１つの収納部１１を有し、その収納部１１の上壁面１２の裏面にタイマー装置１を固定し、また上壁面１２の前端コーナー部に形成された切欠部１３にタイマー装置１の警報表示部５を嵌め込み突出させることで、前記収納部１１を閉じる扉部１５が施錠装置１６で施錠されていても警報表示部５のランプの点灯や点滅によって使用者は容易に通電の状況を知ることができる。
【００２７】
図９に示すタイマー装置付きラック２０のタイマー装置１は、装置本体１Ａが縦長に形成されており、警報表示部５が、その装置本体１Ａの短手側の上面の前端コーナー部に突設されている。
この場合、ラック１０へ取付ける場合は、装置本体１Ａを収納部１１の切欠部１３が形成された側の側壁板１２’の内面に沿って縦に固定する。
また、タイマー装置１は固定時に内面側となる筐体壁面に電源タップ７が設けられている。
この場合も、警報表示部５を切欠部１３に嵌め込んで上端を外方から視認可能として使用に供することができる。
その他の構成は前記実施例と同様であるので説明を省略する。
【００２８】
上記各実施例でタイマー装置は上壁面または側壁板にブラケットを介して釘やネジなどで固定したが、固定手段は、ガイドレールを設けてタイマー装置をスライドして収納する構成や着脱可能に掛止める構成、あるいは自由に動かないように拘束する構成を含むものとし、スタンドを設けて収納部内で自立可能に支持して固定する構成としてもよい。
【００２９】
図１０に示すタイマー装置付きラック２０のタイマー装置１は、警報表示部５が、装置本体１Ａと別体となってケーブル５ａを介して接続されている。
従って、装置本体１Ａを収納部１１内に取り付ける際に、取付位置の自由度を高めることができる。
図示例では、警報表示部５を収納部１１の上壁面の切欠部１３に取り付けたが、収納部１１と離間した位置にある棚板や天板に切欠部１３を設けて、そこに警報表示部５を取り付けるものであってもよい。
また、この場合、タイマー装置１は収納部１１内の底壁面上に横置きするだけでよく、固定しなくてもよい。
その他の構成は前記実施例と同様であるので説明を省略する。
また、前記実施例では、切欠部を上壁板のコーナーに設けたが、中途位置であってもよい。
その他、要するにこの考案の要旨を変更しない範囲で種々設計変更しうること勿論である。
【図面の簡単な説明】
【００３０】
【図１】タイマー装置の上面側から見た斜視図である。
【図２】タイマー装置の底面側から見た斜視図である。
【図３】タイマー装置の設定部を示す正面図である。
【図４】タイマー装置のブロック図である。
【図５】タイマー装置付きラックの一例を示す正面図である。
【図６】異なる形状のラックを示す正面図である。
【図７】更に別の形状のラックを示す正面図である。
【図８】タイマー装置をラックに装着した状態を示す要部斜視図である。
【図９】タイマー装置を縦型にした場合の取付状態を示す要部斜視図である。
【図１０】警報表示部と装置本体とが分離した異なるタイマー装置を用いたタイマー装置付きラックの正面図である。
【符号の説明】
【００３１】
１      タイマー装置
１Ａ    装置本体
２      設定部
３      外部表示部
４      コントローラ
５      警報表示部
７      電源タップ
８      ブラケット
１０      ラック
１０ａ      棚板
１１      収納部
１２      上壁面
１２’    側壁板
１３      切欠部
１４      開口部
１５      扉部
１６      施錠装置
２０      タイマー装置付きラック
２１〜２６  操作ボタン
【図１】
0003106776.tif 000003
【図２】
0003106776.tif 000004
【図３】
0003106776.tif 000005
【図４】
0003106776.tif 000006
【図５】
0003106776.tif 000007
【図６】
0003106776.tif 000008
【図７】
0003106776.tif 000009
【図８】
0003106776.tif 000010
【図９】
0003106776.tif 000011
【図１０】
0003106776.tif 000012